(57)【要約】      （修正有）【課題】第一シャッターと第二シャッターを、簡易な構成にて開閉できる画像形成装置を実現する。【解決手段】（ａ）互いに対向する現像剤が通過可能な第一開口及び第二開口と、（ｂ１）第一開口と第二開口の間に、互いに隣り合うように設けられた第一シャッター及び第二シャッターであり、（ｂ２）第一開口を塞ぐ第一閉位置と、第一開口を露出させる第一開位置との間を移動可能な第一シャッターと、第二開口を塞ぐ第二閉位置と、第二開口を露出させる第二開位置との間を移動可能な第二シャッターと、（ｃ）を備えた画像形成装置であり、（ｄ）第二シャッターは、第一シャッターに係合して第一シャッターを操作する操作部でり、第二閉位置から第二開位置へ移動する開移動と、第二開位置から第二閉位置へ移動する閉移動と、のうちの少なくともいずれか一方の移動において、その移動の途中で、第一シャッターへの係合が解除される操作部、を有する画像形成装置。【選択図】図１７
2008015107.tif 000002
【特許請求の範囲】
【請求項１】
（ａ）互いに対向するように設けられ、現像剤が通過可能な第一開口及び第二開口と、
（ｂ１）該第一開口と該第二開口の間に、互いに隣り合うように設けられた第一シャッター及び第二シャッターであって、
（ｂ２）前記第一開口を塞ぐ第一閉位置と、前記第一開口を露出させる第一開位置との間を移動可能な第一シャッターと、
前記第二開口を塞ぐ第二閉位置と、前記第二開口を露出させる第二開位置との間を移動可能な第二シャッターと、
（ｃ）を備えた画像形成装置であって、
（ｄ）前記第二シャッターは、
前記第一シャッターに係合して該第一シャッターを操作する操作部であって、
前記第二閉位置から前記第二開位置へ移動する開移動と、前記第二開位置から前記第二閉位置へ移動する閉移動と、のうちの少なくともいずれか一方の移動において、その移動の途中で、前記第一シャッターへの係合が解除される操作部、
を有することを特徴とする画像形成装置。
【請求項２】
請求項１に記載の画像形成装置であって、
潜像を担持するための像担持体と、現像剤を収容するための収容部と、該現像剤にて前記像担持体に担持された潜像を現像剤像として可視化するための現像剤担持体と、を有する像形成ユニットと、
該像形成ユニットに対して着脱可能であり、前記収容部に現像剤を供給するための現像剤カートリッジと、を備え、
前記第一開口と前記第一シャッターは、それぞれ前記像形成ユニットに設けられており、
前記第二開口と前記第二シャッターは、それぞれ前記現像剤カートリッジに設けられていることを特徴とする画像形成装置。
【請求項３】
請求項２に記載の画像形成装置であって、
前記操作部は、弾性変形することにより、
前記第一シャッターに係合し、かつ、前記第一シャッターへの係合が解除されることを特徴とする画像形成装置。
【請求項４】
請求項３に記載の画像形成装置であって、
前記第一シャッターの長手方向は、前記第二シャッターの長手方向に沿っており、
前記操作部は、前記第二シャッターの長手方向両端側に位置する弾性を有する金属片であり、
前記第一シャッターは、その長手方向両端側に前記操作部が係合可能な係合穴部、を有し、
前記現像剤カートリッジは、
前記第二シャッターが移動する際に、前記操作部を前記第一シャッター側へ突出させるように押す突起、
を有し、
前記操作部は、
前記突起によって押される際には、前記第一シャッター側へ突出して、前記係合穴部に係合可能であり、
前記突起によって押されない際には、突出せず、前記係合穴部に係合不可能であることを特徴とする画像形成装置。
【請求項５】
請求項２〜請求項４のいずれかに記載の画像形成装置であって、
前記第二シャッターは、前記第二閉位置から前記第二開位置へ移動する際に、前記第一シャッターに接触可能な接触部、を有し、
前記第二シャッターが移動する際に、前記接触部が、前記第一シャッターに接触して押すことにより、該第一シャッターが、前記第一閉位置から前記第一開位置へ移動することを特徴とする画像形成装置。
【請求項６】
請求項５に記載の画像形成装置であって、
前記第二シャッターが前記第二開位置に位置する際には、前記操作部は前記第一シャッターに係合しておらず、
前記操作部は、前記第二シャッターの前記第二開位置から前記第二閉位置への移動において、途中の区間のみにて前記第一シャッターに係合して、該第一シャッターを操作し、
該第一シャッターは、前記操作部により操作されて、前記第一開位置から前記第一閉位置へ移動することを特徴とする画像形成装置。
【請求項７】
請求項５または請求項６に記載の画像形成装置であって、
前記第一シャッターの長手方向は、前記第二シャッターの長手方向に沿っており、
前記接触部は、前記第二シャッターの短手方向一端にて、前記第一シャッター側へ延出する延出部、であり、
前記第一シャッターは、その長手方向中央部に、前記第二シャッター側に突出した突出部、を有し、
前記第二シャッターが移動する際に、前記延出部が、前記突出部の、前記第一シャッターの短手方向一端に接触して押すことにより、該第一シャッターが、前記第一閉位置から前記第一開位置へ移動することを特徴とする画像形成装置。
【請求項８】
請求項７に記載の画像形成装置であって、
前記第二シャッターが前記第二閉位置から前記第二開位置へ移動する際には、前記接触部が前記第一シャッターに接触するのに対し、前記操作部は前記第一シャッターに係合せず、
前記第二シャッターが前記第二開位置から前記第二閉位置へ移動する際には、前記操作部は前記第一シャッターに係合するのに対し、前記接触部は前記第一シャッターに接触しないことを特徴とする画像形成装置。
【発明の詳細な説明】
【技術分野】
【０００１】
本発明は、画像形成装置に関する。特に、現像剤が通過可能な二つの開口と、該二つの開口の間に設けられ移動可能な二つのシャッターと、を備えた画像形成装置に関する。
【背景技術】
【０００２】
レーザビームプリンタ等の画像形成装置は既によく知られている。かかる画像形成装置は、互いに対向するように設けられ、現像剤が通過可能な第一開口及び第二開口と、前記第一開口を塞ぐ第一閉位置と前記第一開口を露出させる第一開位置との間を移動可能な第一シャッターと、前記第二開口を塞ぐ第二閉位置と前記第二開口を露出させる第二開位置との間を移動可能な第二シャッターと、を備えたものがある。そして、第一シャッターと第二シャッターは、該第一開口と該第二開口の間に、互いに隣り合うように設けられており、それぞれ第一開位置と第二開位置に位置する際に、現像剤が第一開口と第二開口を通過な状態となっている。
【特許文献１】特開２００１−８３７８８号公報
【発明の開示】
【発明が解決しようとする課題】
【０００３】
ところで、第一シャッターと第二シャッターを開閉させる構成として、二通りの構成、すなわち、第一シャッターと第二シャッターが、それぞれ独立に移動して開閉する構成と、二つのシャッターのうちの一方のシャッターが、他方のシャッターの移動に伴って移動して開閉する構成と、が提案されている。
【０００４】
しかし、上記の二つの構成のうちの前者の構成では、部品点数の増加を招きやすい。一方で、後者の構成では、二つのシャッターの移動が制約されやすい。例えば、一方のシャッターが、他方のシャッターを押して開位置から閉位置へ移動する場合には、前記他方のシャッターは、前記一方のシャッターに押されて開位置から閉位置へ移動するため、二つのシャッターが、同じタイミングで停止してしまい、該二つのシャッターの移動が制約されることとなる。
【０００５】
本発明は、かかる課題に鑑みてなされたものであり、その目的とするところは、第一シャッターと第二シャッターを、簡易な構成にて適切に開閉できる画像形成装置、を実現することにある。
【課題を解決するための手段】
【０００６】
前記課題を解決するために、主たる本発明は、（ａ）互いに対向するように設けられ、現像剤が通過可能な第一開口及び第二開口と、（ｂ１）該第一開口と該第二開口の間に、互いに隣り合うように設けられた第一シャッター及び第二シャッターであって、（ｂ２）前記第一開口を塞ぐ第一閉位置と、前記第一開口を露出させる第一開位置との間を移動可能な第一シャッターと、前記第二開口を塞ぐ第二閉位置と、前記第二開口を露出させる第二開位置との間を移動可能な第二シャッターと、（ｃ）を備えた画像形成装置であって、（ｄ）前記第二シャッターは、前記第一シャッターに係合して該第一シャッターを操作する操作部であって、前記第二閉位置から前記第二開位置へ移動する開移動と、前記第二開位置から前記第二閉位置へ移動する閉移動と、のうちの少なくともいずれか一方の移動において、その移動の途中で、前記第一シャッターへの係合が解除される操作部、を有することを特徴とする画像形成装置である。
【０００７】
本発明の他の特徴については、本明細書及び添付図面の記載により明らかにする。
【発明を実施するための最良の形態】
【０００８】
本明細書及び添付図面の記載により少なくとも次のことが明らかにされる。
【０００９】
（ａ）互いに対向するように設けられ、現像剤が通過可能な第一開口及び第二開口と、（ｂ１）該第一開口と該第二開口の間に、互いに隣り合うように設けられた第一シャッター及び第二シャッターであって、（ｂ２）前記第一開口を塞ぐ第一閉位置と、前記第一開口を露出させる第一開位置との間を移動可能な第一シャッターと、前記第二開口を塞ぐ第二閉位置と、前記第二開口を露出させる第二開位置との間を移動可能な第二シャッターと、（ｃ）を備えた画像形成装置であって、（ｄ）前記第二シャッターは、前記第一シャッターに係合して該第一シャッターを操作する操作部であって、前記第二閉位置から前記第二開位置へ移動する開移動と、前記第二開位置から前記第二閉位置へ移動する閉移動と、のうちの少なくともいずれか一方の移動において、その移動の途中で、前記第一シャッターへの係合が解除される操作部、を有することを特徴とする画像形成装置。  
このような画像形成装置によれば、第一シャッターと第二シャッターを、部品点数を増やすこと無く簡易な構成にて適切に開閉することが可能となる。
【００１０】
また、かかる画像形成装置であって、潜像を担持するための像担持体と、現像剤を収容するための収容部と、該現像剤にて前記像担持体に担持された潜像を現像剤像として可視化するための現像剤担持体と、を有する像形成ユニットと、該像形成ユニットに対して着脱可能であり、前記収容部に現像剤を供給するための現像剤カートリッジと、を備え、前記第一開口と前記第一シャッターは、それぞれ前記像形成ユニットに設けられており、前記第二開口と前記第二シャッターは、それぞれ前記現像剤カートリッジに設けられていることとしてもよい。  
第一開口と第一シャッターが、像形成ユニットに設けられており、第二開口と第二シャッターが、現像剤カートリッジに設けられている場合には、例えば、現像剤カートリッジに収容される現像剤の量が少ないと、該現像剤カートリッジの着脱が頻繁に行われ、二つのシャッターの開閉も頻繁に行われることとなる。かかる場合に、前記操作部を設けた場合には、二つのシャッターを、簡易な構成にて適切に開閉することが可能となる効果が、より有効に奏される。
【００１１】
また、かかる画像形成装置であって、前記操作部は、弾性変形することにより、前記第一シャッターに係合し、かつ、前記第一シャッターへの係合が解除されることとしてもよい。  
かかる場合には、簡易な構成にて、操作部の第一シャッターへの係合と、該係合の解除を実現できる。
【００１２】
また、かかる画像形成装置であって、前記第一シャッターの長手方向は、前記第二シャッターの長手方向に沿っており、前記操作部は、前記第二シャッターの長手方向両端側に位置する弾性を有する金属片であり、前記第一シャッターは、その長手方向両端側に前記操作部が係合可能な係合穴部、を有し、前記現像剤カートリッジは、前記第二シャッターが移動する際に、前記操作部を前記第一シャッター側へ突出させるように押す突起、を有し、前記操作部は、前記突起によって押される際には、前記第一シャッター側へ突出して、前記係合穴部に係合可能であり、前記突起によって押されない際には、突出せず、前記係合穴部に係合不可能であることとしてもよい。  
操作部が弾性を有する金属片であり、第一シャッターに操作部が係合可能な係合穴部が設けられ、該操作部が、突起に押されることにより、係合穴部に係合する場合には、簡易な構成にて、操作部を第二シャッターに係合させることが可能となる。
【００１３】
また、かかる画像形成装置であって、前記第二シャッターは、前記第二閉位置から前記第二開位置へ移動する際に、前記第一シャッターに接触可能な接触部、を有し、前記第二シャッターが移動する際に、前記接触部が、前記第一シャッターに接触して押すことにより、該第一シャッターが、前記第一閉位置から前記第一開位置へ移動することとしてもよい。
【００１４】
また、かかる画像形成装置であって、前記第二シャッターが前記第二開位置に位置する際には、前記操作部は前記第一シャッターに係合しておらず、前記操作部は、前記第二シャッターの前記第二開位置から前記第二閉位置への移動において、途中の区間のみにて前記第一シャッターに係合して、該第一シャッターを操作し、該第一シャッターは、前記操作部により操作されて、前記第一開位置から前記第一閉位置へ移動することとしてもよい。
【００１５】
また、かかる画像形成装置であって、前記第一シャッターの長手方向は、前記第二シャッターの長手方向に沿っており、前記接触部は、前記第二シャッターの短手方向一端にて、前記第一シャッター側へ延出する延出部、であり、前記第一シャッターは、その長手方向中央部に、前記第二シャッター側に突出した突出部、を有し、前記第二シャッターが移動する際に、前記延出部が、前記突出部の、前記第一シャッターの短手方向一端に接触して押すことにより、該第一シャッターが、前記第一閉位置から前記第一開位置へ移動することとしてもよい。  
かかる場合には、接触部が第一シャッターを確実に接触するから、第一シャッターが第一閉位置から第一開位置へ確実に移動できる。
【００１６】
また、かかる画像形成装置であって、前記第二シャッターが前記第二閉位置から前記第二開位置へ移動する際には、前記接触部が前記第一シャッターに接触するのに対し、前記操作部は前記第一シャッターに係合せず、前記第二シャッターが前記第二開位置から前記第二閉位置へ移動する際には、前記操作部は前記第一シャッターに係合するのに対し、前記接触部は前記第一シャッターに接触しないこととしてもよい。  
かかる場合には、接触部と操作部が、それぞれ適切に機能を果たすことができる。
【００１７】
＝＝＝画像形成装置の概要＝＝＝
次に、図１、図２を用いて、『画像形成装置』としてレーザビームプリンタ（以下、プリンタともいう）１０を例にとって、その構成例及び動作例について説明する。図１は、プリンタ１０を構成する主要構成要素を示した図である。図２は、プリンタ１０の制御ユニット１００の構成を示したブロック図である。なお、図１には、矢印にて上下方向を示しており、例えば、給紙カセット９２は、プリンタ１０の下部に配置されており、露光ユニット４０は、プリンタ１０の上部に配置されている。
【００１８】
＜＜＜プリンタ１０の構成例＞＞＞
本実施の形態に係るプリンタ１０は、図１に示すように、『像形成ユニット』の一例としてのプロセスユニット２０、露光ユニット４０、『現像剤カートリッジ』の一例としてのトナーカートリッジ６０、転写ユニット７０、定着ユニット８０、ユーザへの報知手段をなす表示ユニット（不図示）、これらのユニット等を制御しプリンタとしての動作を司る制御ユニット１００（図２）を有している。また、プロセスユニット２０は、図１に示すように、ユニットの骨格を成す樹脂製のユニットフレーム２１と、トナーカートリッジ６０が挿入可能なカートリッジ挿入部２２と、『像担持体』の一例としての感光体３１と、更に、該感光体３１の回転方向に沿って、帯電器３２、現像部５０、ローラ３９を有している。
【００１９】
感光体３１は、その外周面に形成された感光層を有し、該感光層の表面に潜像を担持する。この感光体３１は、中心軸を中心に回転可能であり、本実施の形態においては、図１中の矢印で示すように反時計回りに回転する。
【００２０】
帯電器３２は、感光体３１を帯電するためのものである。露光ユニット４０は、レーザを照射することによって帯電された感光体３１上に潜像を形成する装置である。この露光ユニット４０は、半導体レーザ、ポリゴンミラー、Ｆ−θレンズ等を有しており、パーソナルコンピュータ、ワードプロセッサ等の不図示のコンピュータから入力された画像信号に基づいて、変調されたレーザを帯電された感光体３１上に照射する。
【００２１】
現像部５０は、『現像剤』の一例としてのトナーで感光体３１上の潜像を現像する機能を有し、『収容部』の一例としてのトナー収容部５１と、『現像剤担持体』の一例としての現像ローラ５２と、供給ローラ５３と、規制ブレード５４と、アジテータ５６と、を備えている。
【００２２】
トナー収容部５１は、トナーを収容するためのものである。現像ローラ５２は、その表面にトナーを担持して回転することにより、当該トナーを感光体３１と対向する現像位置に搬送する。現像ローラ５２は、感光体３１に接触しており、現像位置に搬送されたトナーにて感光体３１上に担持された潜像をトナー像として可視化する（すなわち、接触状態で現像する）。供給ローラ５３は、現像ローラ５２に当接する回転可能な部材であり、トナー収容部５１に収容されたトナーを現像ローラ５２に供給する機能と、現像後に現像ローラ５２に残存するトナーを現像ローラ５２から剥ぎ取る機能を有している。規制ブレード５４は、現像ローラ５２にその軸方向に沿って当接して、現像ローラ５２に担持されたトナーの層厚を規制し、また、現像ローラ５２に担持されたトナーに電荷を付与する。アジテータ５６は、回転することにより、トナーを撹拌する機能と、トナー収容部５１内のトナーを供給ローラ５３へ送る機能を有している。
【００２３】
トナーカートリッジ６０には、トナーが充填されており、トナーカートリッジ６０は、カートリッジ挿入部２２への挿入後に、プロセスユニット２０に装着される。そして、トナーカートリッジ６０は、ユニットフレーム２１に装着された状態で、充填されたトナーをトナー収容部５１に補給する。なお、トナーカートリッジ６０の構成については、後述する。
【００２４】
転写ユニット７０は、感光体３１に形成されたトナー像を媒体に転写するための装置である。ローラ３９は、感光体３１に当接して、媒体に転写されなかったトナー（トナー像）を、感光体３１表面上で均一に分散させるためのものである。  
定着ユニット８０は、定着ローラ８０ａと加圧ローラ８０ｂを有し、媒体上に転写されたトナー像を、加熱加圧して媒体に融着させて永久像とするための装置である。
【００２５】
制御ユニット１００は、図２に示すようにメインコントローラ１０１と、ユニットコントローラ１０２とで構成され、メインコントローラ１０１には画像信号及び制御信号が入力され、この画像信号及び制御信号に基づく指令に応じてユニットコントローラ１０２が前記各ユニット等を制御して画像を形成する。また、メインコントローラ１０１は、インターフェイス１１２を介してコンピュータと接続され、このコンピュータから入力された画像信号を記憶するための画像メモリ１１３を備えている
＜＜＜プリンタ１０の動作例＞＞＞
次に、このように構成されたプリンタ１０の動作について説明する。まず、不図示のコンピュータからの画像信号及び制御信号がインターフェイス（Ｉ／Ｆ）１１２を介してプリンタ１０のメインコントローラ１０１に入力されると、このメインコントローラ１０１からの指令に基づくユニットコントローラ１０２の制御により感光体３１、現像ローラ５２等が回転する。
【００２６】
感光体３１は、回転しながら、帯電位置において帯電器３２により順次帯電される。感光体３１の帯電された領域は、感光体３１の回転に伴って露光位置に至り、露光ユニット４０によって、画像情報に応じた潜像が該領域に形成される。感光体３１上に形成された潜像は、感光体３１の回転に伴って現像位置に至り、現像ローラ５２によってトナーで現像される。これにより、感光体３１上にトナー像が形成される。
【００２７】
感光体３１上に形成されたトナー像は、感光体３１の回転に伴って転写位置に至り、転写ユニット７０によって、媒体に転写される。なお、媒体は、給紙カセット９２から、給紙ローラ９４を介して転写ユニット７０へ搬送される。  
媒体に転写されたトナー像は、定着ユニット８０によって加熱加圧されて媒体に融着される。そして、トナー像が融着された媒体は、それぞれ一対の搬送ローラ９５と一対の排紙ローラ９６とを介して、排紙トレイ９８へ搬送される。  
一方、媒体に転写されなかった感光体３１上のトナーは、ローラ３９によって均一に分散される。そして、均一に分散されたトナーは、現像位置にて現像ローラ５２によって剥ぎ取られて、トナー収容部５１に回収される。
【００２８】
＝＝＝トナーカートリッジ６０及びその周辺の構成例＝＝＝
次に、図３〜図１１を用いて、トナーカートリッジ６０の構成例と、該トナーカートリッジ６０がプロセスユニット２０に装着されているときに該トナーカートリッジ６０の周辺に位置するプロセスユニット２０の部材の構成例について説明する。
【００２９】
図３は、トナーカートリッジ６０がカートリッジ挿入部２２に挿入された際の状態を示した図である。図４は、トナーカートリッジ６０がプロセスユニット２０に装着された際の状態を示した図である。図５は、ＣＲＧシャッター６３０が閉位置に位置する際の、トナーカートリッジ６０の正面図である。図６は、図５に示すトナーカートリッジ６０の背面図である。図７は、図５に示すトナーカートリッジ６０からＣＲＧシャッター６３０を取り除いた状態を示した図である。図８は、ＣＲＧシャッター６３０が開位置に位置する際の、トナーカートリッジ６０の正面図である。図９は、図８に示すトナーカートリッジ６０の背面図である。図１０は、トナーカートリッジ６０がカートリッジ挿入部２２に挿入されていない際の、プロセスユニット２０の上面図である。図１１は、挿入部シャッター２３０及びその周辺を示した図である。なお、図３〜図９には矢印にて上下方向が、図５〜図１１には矢印にて長手方向が、それぞれ示されている。
【００３０】
＜＜＜トナーカートリッジ６０の構成＞＞＞
まず、トナーカートリッジ６０の構成について、説明する。  
トナーカートリッジ６０は、カートリッジ本体（以下、「ＣＲＧ本体」とも呼ぶ）６１０と、外カバー６２０と、『第二シャッター』の一例としてのＣＲＧシャッター６３０（後述する挿入部シャッター２３０が、『第一シャッター』の一例である）と、カートリッジシール（以下、「ＣＲＧシール」とも呼ぶ）６４０と、アジテータ６５０と、を有している。
【００３１】
ＣＲＧ本体６１０は、トナーを収容する『収容体』である。このＣＲＧ本体６１０は、図３に示すように、その断面形状が円となっている、円筒状の容器である。ＣＲＧ本体６１０は、図７に示すように、その外周面にまっすぐな壁である壁部６１１を有している。この壁部６１１は、長手方向の中央側に位置している。
【００３２】
また、壁部６１１には、ＣＲＧ本体６１０内のトナーがＣＲＧ本体６１０外へ向けて通過可能なＣＲＧ開口６１２が設けられている。そして、該ＣＲＧ開口６１２が露出している際には、ＣＲＧ本体６１０内のトナーが該ＣＲＧ開口６１２を通過して、トナーカートリッジ６０外へ移動可能となっている。ＣＲＧ本体６１０は、ＣＲＧシャッター６３０が移動する際に、該ＣＲＧシャッター６３０を直進移動させるガイドとなるガイド部６１４を有している。
【００３３】
また、ＣＲＧ本体６１０は、その長手方向において壁部６１１の外側に、ＣＲＧシャッター６３０と接触可能な『突起』の一例としてのリブ６１６を有している。このリブ６１６は、その長手方向がＣＲＧ本体６１０の長手方向と略直交するように、設けられている。また、リブ６１６は、その長手方向の一端側に位置し、ＣＲＧシャッター６３０が移動する際に該ＣＲＧシャッター６３０に接触しない湾曲部６１６ａ（図１６Ａ参照）と、その長手方向の他端側に位置し、ＣＲＧシャッター６３０が移動する際に該ＣＲＧシャッター６３０に接触する平坦部６１６ｂ（図１６Ａ参照）と、を有している。
【００３４】
また、ＣＲＧ本体６１０は、図６に示すように、その背面側で、かつ、長手方向中央側に、突起６１７を有している。また、ＣＲＧ本体６１０は、その下部に、トナーカートリッジ６０がカートリッジ挿入部２２に挿入された際に、プリンタ本体に設けられたコネクタ（不図示）と接触可能なＣＲＧコネクタ６１８、を有している。
【００３５】
外カバー６２０は、中空の円筒であり、ＣＲＧ本体６１０の外周面を覆っている。この外カバー６２０は、ＣＲＧ本体６１０に対して回動移動可能に支持されている。外カバー６２０は、その周面で、かつ、その長手方向の中央部に、把手部６２１を有しており、ユーザ等によって、該把手部６２１が操作されることにより、外カバー６２０が回転移動する構成となっている。
【００３６】
外カバー６２０は、図７に示すように、その長手方向の両端部に、一定間隔で設けられた複数の凸６２３によって構成されているピニオン部６２２、を有している。また、外カバー６２０は、その下部に、該外カバー６２０の回転移動に伴って移動するフック６２６を有している。
【００３７】
外カバー６２０は、図６と図９に示すように、把手部６２１が操作されて該外カバー６２０が回転移動する際に、ＣＲＧ本体６１０の突起６１７が該外カバー６２０に対して相対移動できるように、逃げ穴６２７を有している。また、外カバー６２０は、その一端側が逃げ穴６２７の縁部と繋がっており、その他端側が突起６１７に向かって延出しているレバー６２８、を有している。
【００３８】
ＣＲＧシール６４０は、図７に示すように、ＣＲＧ開口６１２を囲むように壁部６１１に固定されており、ＣＲＧ本体６１０とＣＲＧシャッター６３０の間からのトナーの漏れを防止するためのものである。このＣＲＧシール６４０は、中央部に『第二開口』の一例としてのＣＲＧシール開口６４２（後述する挿入部シール開口２７２が、『第一開口』の一例である）を有しており、該ＣＲＧシール開口６４２の大きさは、ＣＲＧ開口６１２の大きさとほぼ同じである。また、ＣＲＧシール６４０は、弾性を有するスポンジであり、ＣＲＧ本体６１０とＣＲＧシャッター６３０の間に挟まって圧縮されている。
【００３９】
ＣＲＧシャッター６３０は、ＣＲＧ本体６１０に対して直進移動可能に支持され、開位置（図８）と閉位置（図５）との間を直進移動することによって開閉する。そして、ＣＲＧシャッター６３０は、閉位置に位置する際にはＣＲＧシール開口６４２を塞ぎ、開位置に位置する際にはＣＲＧシール開口６４２を露出させる。
【００４０】
ＣＲＧシャッター６３０は、金属製の薄板であり、その長手方向の両端部がガイド部６１４に接触しながら、直進移動する構成となっている。
【００４１】
ＣＲＧシャッター６３０は、図５に示すように、その長手方向の中央で、かつ、短手方向の一端側にＣＲＧシャッター開口６３１を有しており、開位置に位置する際には、図４に示すように該ＣＲＧシャッター開口６３１がＣＲＧシール開口６４２に対向する位置に位置し、閉位置に位置する際には、図３に示すように該ＣＲＧシャッター開口６３１はＣＲＧシール開口６４２に対向しない位置に位置する。なお、ＣＲＧシャッター開口６３１の大きさは、ＣＲＧシール開口６４２の大きさよりも大きい。
【００４２】
また、ＣＲＧシャッター６３０は、図５に示すように、一定間隔で設けられた複数の穴６３３によって構成されているラック部６３２を有している。このラック部６３２の穴６３３に対して、ピニオン部６２２の凸６２３が、係合可能な構成となっている。
【００４３】
また、ＣＲＧシャッター６３０は、図５に示すように、閉位置から開位置へ移動（開移動）する際に、後述する挿入部シャッター２３０に接触可能な接触部６３４、を有している。この接触部６３４は、ＣＲＧシャッター６３０の短手方向一端にて、挿入部シャッター２３０側へ延出する延出部である。
【００４４】
また、ＣＲＧシャッター６３０は、ＣＲＧシャッター６３０の開位置から閉位置への移動（閉移動）において、途中の区間のみにて挿入部シャッター２３０に係合する係合片６３６（図５）、を有している。この係合片６３６は、弾性を有しており、弾性変形することにより、挿入部シャッター２３０に係合し、かつ、該挿入部シャッター２３０への係合が解除される。また、係合片６３６は、ＣＲＧシャッター６３０の長手方向両端側の、リブ６１６に対向する位置に位置している。
【００４５】
アジテータ６５０は、図３に示すように、ＣＲＧ本体６１０の内部に、中心軸を中心として回転可能に設けられている。そして、アジテータ６５０は、回転することにより、ＣＲＧ本体６１０内のトナーをＣＲＧ開口６１２に向けて搬送する機能、及び、ＣＲＧ本体６１０内のトナーを撹拌する機能を有している。なお、アジテータ６５０は、図３中の矢印で示すように反時計方向に回転し、その中心軸の位置は、上下方向において、ＣＲＧ開口６１２の位置とほぼ同じである。
【００４６】
＜＜＜カートリッジ挿入部２２の構成＞＞＞
前述したように、プロセスユニット２０は、トナーカートリッジ６０が挿入されるカートリッジ挿入部２２を有している。  
このカートリッジ挿入部２２は、図１０と図１１に示すように、ロック用穴２１０と、ロック解除凸部２２０と、挿入部シャッター２３０と、溝２４０と、貫通穴２５０と、挿入部開口２６０（図３）と、挿入部シール２７０と、を有している。
【００４７】
ロック用穴２１０は、トナーカートリッジ６０がカートリッジ挿入部２２に挿入された際には、外カバー６２０のフック６２６が通り抜け可能であり、かつ、トナーカートリッジ６０がプリンタに装着された際には、該フック６２６が通り抜け不可能な、穴である。
【００４８】
ロック解除凸部２２０は、外カバー６２０のＣＲＧ本体６１０に対するロックを解除するためのものであり、ロック解除凸部２２０が、外カバー６２０のレバー６２８に接触して該レバー６２８を変形させることにより、突起６１７のレバー６２８に対する係止が解除される。
【００４９】
溝２４０は、トナーカートリッジ６０をカートリッジ挿入部２２に挿入する際のガイドの機能を有している。すなわち、ＣＲＧコネクタ６１８が該溝２４０に沿って進入することにより、トナーカートリッジ６０がカートリッジ挿入部２２に挿入されることとなる。
【００５０】
貫通穴２５０は、トナーカートリッジ６０のＣＲＧコネクタ６１８が貫通可能な穴である。そして、トナーカートリッジ６０がカートリッジ挿入部２２に挿入された際には、貫通穴２５０を貫通したＣＲＧコネクタ６１８が、プリンタ本体に設けられたコネクタと接触する。
【００５１】
挿入部開口２６０は、図３や図４に示すように、トナー収容部５１とカートリッジ挿入部２２を仕切る仕切り壁２２ａに設けられており、該挿入部開口２６０が露出している際に、トナーカートリッジ６０内のトナーがトナー収容部５１に補給される。
【００５２】
挿入部シール２７０は、挿入部開口２６０を囲むように仕切り壁２２ａに固定されており、該仕切り壁２２ａと挿入部シャッター２３０の間からのトナーの漏れを防止するためのものである。この挿入部シール２７０は、図３に示すように、中央部に挿入部シール開口２７２を有しており、該挿入部シール開口２７２の大きさは、挿入部開口２６０の大きさと同じである。また、挿入部シール２７０は、ＣＲＧシール６４０同様、弾性を有するスポンジであり、仕切り壁２２ａと挿入部シャッター２３０の間で圧縮されている。
【００５３】
挿入部シャッター２３０は、仕切り壁２２ａに直進移動可能に支持され、『第一開位置』である開位置（図４）と『第一閉位置』である閉位置（図３）との間を直進移動することによって開閉する。そして、挿入部シャッター２３０は、閉位置に位置する際には挿入部シール２７０を塞ぎ、開位置に位置する際には挿入部シール２７０を露出させる。なお、前述のＣＲＧシャッター２３０の開位置が『第二開位置』に、ＣＲＧシャッター２３０の閉位置が『第二閉位置』に、それぞれ該当する。
【００５４】
挿入部シャッター２３０は、金属製の薄板であり、その長手方向（該長手方向は、ＣＲＧシャッター６３０の長手方向に沿っている）の両端部が、仕切り壁２２ａに設けられたガイド部２８０に接触しながら、直進移動する構成となっている。
【００５５】
また、挿入部シャッター２３０は、図１１に示すように、その長手方向の中央部に、仕切り壁２２ａから遠ざかる方向に突出した（トナーカートリッジ６０がカートリッジ挿入部２２に挿入された際に、ＣＲＧシャッター６３０側に突出した）突出部２３１、を有している。そして、この突出部２３１と仕切り壁２２ａの間にて、挿入部シール２７０が圧縮されている。
【００５６】
この突出部２３１は、挿入部シャッター開口２３２を有しており、挿入部シャッター２３０は、開位置に位置する際には、図４に示すように該挿入部シャッター開口２３２が挿入部シール開口２７２に対向する位置に位置し、閉位置に位置する際には、図３に示すように該挿入部シャッター開口２３２が挿入部シール開口２７２に対向しない位置に位置する。なお、挿入部シャッター開口２３２の大きさは、挿入部シール開口２７２の大きさよりも大きい。  
また、突出部２３１には、長手方向にて挿入部シャッター開口２３２の外側（長手方向両端側）に、ＣＲＧシャッター６３０の係合片６３６が係合可能な『係合穴部』の一例としての係合穴２３４、が設けられている。
【００５７】
＝＝＝トナーカートリッジ着脱の際のトナーカートリッジ及びその周辺の動作例＝＝＝
次に、図３〜図１１、図１２Ａ〜図１２Ｄ、図１３Ａ、図１３Ｂ、図１４Ａ、図１４Ｂ、図１５Ａ、図１５Ｂ、図１６Ａ〜図１６Ｃ、図１７Ａ〜図１７Ｄを用いて、トナーカートリッジ６０着脱の際のトナーカートリッジ及びその周辺の動作例について、説明する。
【００５８】
図１２Ａ〜図１２Ｄは、外カバー６２０のＣＲＧ本体６１０に対するロックと、該ロックの解除を説明するための図であり、図１２Ａは、トナーカートリッジ６０がカートリッジ挿入部２２に挿入されていないときに、突起６１７がレバー６２８を係止している状態を示した図である。図１２Ｂは、トナーカートリッジ６０がカートリッジ挿入部２２に挿入された際に、突起６１７のレバー６２８に対する係止が解除されている状態を示した図である。図１２Ｃは、トナーカートリッジ６０がプロセスユニット２０に装着された際に、突起６１７のレバー６２８に対する係止が解除されている状態を示した図である。図１２Ｄは、図１２Ｂ中のＡ方向から、突起６１７等を示した図である。
【００５９】
図１３Ａ〜図１３Ｄは、ＣＲＧ本体６１０のカートリッジ挿入部２２に対するロックと、該ロックの解除を説明するための図であり、図１３Ａは、トナーカートリッジ６０がカートリッジ挿入部２２に挿入された際の、フック６２６とロック用穴２１０の位置関係を示した図である。図１３Ｂは、図１３ＡのＸ−Ｘ断面図である。図１３Ｃは、トナーカートリッジ６０がプロセスユニット２０に装着された際の、フック６２６とロック用穴２１０の位置関係を示した図である。図１３Ｄは、図１３ＣのＹ−Ｙ断面図である。
【００６０】
図１４Ａは、トナーカートリッジ６０がカートリッジ挿入部２２に挿入された際の、ＣＲＧシャッター６３０と挿入部シャッター２３０の周辺部を示した図である。図１４Ｂは、トナーカートリッジ６０がプロセスユニット２０に装着された際の、ＣＲＧシャッター６３０と挿入部シャッター２３０の周辺部を示した図である。
【００６１】
図１５Ａ〜図１５Ｃは、外カバー６２０を回転移動させる回転力を、ＣＲＧシャッター６３０を直進移動させる直進力に変換するメカニズムを説明するための図であり、図１５Ａは、ＣＲＧシャッター６３０が閉位置に位置する際の、ラック部６３２とピニオン部６２２を示した図である。図１５Ｂは、移動中のＣＲＧシャッター６３０の接触部６３４が、挿入部シャッター２３０に接触した際の、ラック部６３２とピニオン部６２２を示した図である。図１５Ｃは、ＣＲＧシャッター６３０が開位置に位置する際の、ラック部６３２とピニオン部６２２を示した図である。
【００６２】
図１６Ａ〜図１６Ｃは、ＣＲＧシャッター６３０と挿入部シャッター２３０の開移動を説明するための図であり、図１６Ａは、ＣＲＧシャッター６３０が閉位置に位置する際の、係合片６３６とリブ６１６の位置関係を示した図である。図１６Ｂは、移動中のＣＲＧシャッター６３０の接触部６３４が、挿入部シャッター２３０に接触した際の、係合片６３６とリブ６１６の位置関係を示した図である。図１６Ｃは、ＣＲＧシャッター６３０が開位置に位置する際の、係合片６３６とリブ６１６の位置関係を示した図である。
【００６３】
図１７Ａ〜図１７Ｄは、ＣＲＧシャッター６３０と挿入部シャッター２３０の閉移動を説明するための図であり、図１７Ａは、ＣＲＧシャッター６３０が開位置に位置する際の、係合片６３６とリブ６１６の位置関係を示した図である。図１７Ｂは、移動中のＣＲＧシャッター６３０の係合片６３６が、挿入部シャッター２３０に係合した際の、係合片６３６とリブ６１６の位置関係を示した図である。図１７Ｃは、挿入部シャッター２３０が、係合片６３６に操作されて、閉位置に至った際の、係合片６３６とリブ６１６の位置関係を示した図である。図１７Ｄは、ＣＲＧシャッター６３０が閉位置に位置する際の、係合片６３６とリブ６１６の位置関係を示した図である。
【００６４】
なお、図１３Ａと図１３Ｃでは、説明の都合上、トナーカートリッジ６０のフック６２６以外の部分が、図示されていない。また、図１２Ａ〜図１２Ｃ、図１３Ｂ、図１３Ｄ、図１４Ａ、図１４Ｂ、図１５Ａ〜図１５Ｃ、図１６Ａ〜図１６Ｃ、図１７Ａ〜図１７Ｄには、矢印にて上下方向が示され、図１２Ａ〜図１２Ｄ、図１３Ａ〜図１３Ｄには、矢印にて長手方向が示されている。
【００６５】
＜＜トナーカートリッジ装着の際のトナーカートリッジ及び周辺部材の動作例＞＞
まず、トナーカートリッジ６０をプロセスユニット２０に装着するときのトナーカートリッジ６０及び周辺部材の動作例について説明する。
【００６６】
［１．初期状態について］
ここでは、トナーカートリッジ６０及び周辺部材の初期状態、すなわち、トナーカートリッジ６０がプロセスユニット２０のカートリッジ挿入部２２に挿入される前の、トナーカートリッジ６０及び周辺部材の状態、について説明する。
【００６７】
トナーカートリッジ６０がカートリッジ挿入部２２に挿入されていないときには、図５に示すように、ＣＲＧシャッター６３０が閉位置にて静止しており、ＣＲＧシール６４０のＣＲＧシール開口６４２（ＣＲＧ開口６１２）は塞がれている。
【００６８】
また、トナーカートリッジ６０がカートリッジ挿入部２２に挿入されていないときには、外カバー６２０のレバー６２８は、図６に示すように、ＣＲＧ本体６１０の突起６１７に接触しており、該突起６１７によって係止されている。このため、トナーカートリッジ６０がカートリッジ挿入部２２に挿入されていないときには、外カバー６２０のＣＲＧ本体６１０に対する回転移動が規制される。
【００６９】
また、ピニオン部６２２を構成する複数の凸６２３の一部が、ラック部６３２を構成する複数の穴６３３の一部と係合している（図１５Ａ参照）。ＣＲＧシャッター６３０の係合片６３６は、リブ６１６の湾曲部６１６ａに対向して（ただし、湾曲部６１６ａに接触していない）、平坦部６１６ｂに接触しないから、該平坦部６１６ｂに押されない（図１６Ａ参照）。
【００７０】
カートリッジ挿入部２２側に着目すると、図１１に示すように、挿入部シャッター２３０が閉位置にて静止しており、挿入部シール２７０の挿入部シール開口２７２（挿入部開口２６０）は塞がれている。
【００７１】
［２．トナーカートリッジ６０がカートリッジ挿入部２２に挿入される迄の動作について］
ここでは、トナーカートリッジ６０がカートリッジ挿入部２２に挿入されるまでの、すなわち、図３に示される状態になるまでの、トナーカートリッジ６０等の動作について、説明する。
【００７２】
ユーザ等が、把手部６２１を持って、トナーカートリッジ６０をカートリッジ挿入部２２に向けて下ろすと、ＣＲＧコネクタ６１８が溝２４０に沿って進入して、該トナーカートリッジ６０がカートリッジ挿入部２２に挿入される。そして、トナーカートリッジ６０がカートリッジ挿入部２２に挿入された際には、図１４Ａに示すように、ＣＲＧシャッター６３０と挿入部シャッター２３０は、対向するように隣り合うこととなる。
【００７３】
また、トナーカートリッジ６０がカートリッジ挿入部２２に挿入された際には、ロック解除凸部２２０によって、外カバー６２０のＣＲＧ本体６１０に対するロックが解除される。すなわち、トナーカートリッジ６０がカートリッジ挿入部２２に挿入されていないときには、図１２Ａに示すように、レバー６２８が突起６１７に係止されているが、トナーカートリッジ６０がカートリッジ挿入部２２に挿入された際には、図１２Ｂに示すように、ロック解除凸部２２０がレバー６２８に接触して変形させることにより、突起６１７のレバー６２８に対する係止が解除される。このため、トナーカートリッジ６０がカートリッジ挿入部２２に挿入された際には、ロック解除凸部２２０により前記ロックが解除されることにより、外カバー６２０の、前記回転移動が許容されることとなる。
【００７４】
また、トナーカートリッジ６０がカートリッジ挿入部２２に挿入される際に、ＣＲＧコネクタ６１８が、貫通穴２５０を貫通し、トナーカートリッジ６０がカートリッジ挿入部２２に挿入されたときには、ＣＲＧコネクタ６１８が、プリンタ本体に設けられたコネクタと接触する。
【００７５】
また、トナーカートリッジ６０がカートリッジ挿入部２２に挿入される途中に、フック６２６が、ロック用穴２１０を通り抜け、トナーカートリッジ６０がカートリッジ挿入部２２に挿入された際には、図１３Ａに示すように、フック６２６が、ロック用穴２１０を通り抜け可能な状態を維持している。
【００７６】
また、トナーカートリッジ６０がカートリッジ挿入部２２に挿入される際に、ＣＲＧシャッター６３０は閉位置にて静止しており、係合片６３６は、図１６Ａに示すように、リブ６１６（平坦部６１６ｂ）に押されていないから、挿入部シャッター２３０側へ突出せず、係合穴２３４に係合しない。
【００７７】
［３．把手部が操作される際の動作について］
ここでは、閉位置に位置するＣＲＧシャッター６３０が、開位置に至るまでの、すなわち、図３に示される状態から図４に示される状態になるまでの、トナーカートリッジ６０等の動作について、説明する。
【００７８】
ロック解除凸部２２０による突起６１７のレバー６２８に対する係止の解除後に、ユーザ等が、把手部６２１を所定の方向（図３に示す矢印の方向）に押す（操作する）ことによって、外カバー６２０が回転移動を開始する。なお、外カバー６２０の回転移動の際に、図１２Ｂ〜図１２Ｄに示すように、ロック解除凸部２２０がレバー６２８に接触する状態が維持されるから、外カバー６２０の回転移動中に突起６１７がレバー６２８を係止しない。
【００７９】
そして、外カバー６２０の回転移動の際に、ＣＲＧシャッター６３０が直進移動する。すなわち、ユーザ等が把手部６２１を押す力が、外カバー６２０に、該外カバー６２０を回転移動させる回転力として伝達される。そして、ラック部６３２とピニオン部６２２が係合した状態で外カバー６２０が回転移動することにより、前記回転力が、ピニオン部６２２とラック部６３２を介して、ＣＲＧシャッター６３０に、該ＣＲＧシャッター６３０を直進移動させる直進力に変換されて、伝達される。そして、ＣＲＧシャッター６３０は、前記直進力によって、ガイド部６１４に接触しながら直進移動することとなる。
【００８０】
そして、ユーザ等によって把手部６２１が図３に示す位置から図４に示す位置まで押される（これに伴い、外カバー６２０が回転移動する）ことにより、図１５Ａ〜図１５Ｃに示すように、ＣＲＧシャッター６３０が、閉位置から開位置まで直進移動（開移動）することとなる。なお、把手部６２１が図４に示す位置まで押されると、トナーカートリッジ６０がカートリッジ挿入部２２に装着されることとなる。そして、トナーカートリッジ６０がカートリッジ挿入部２２に装着された際には、図１４Ｂに示すように、ＣＲＧシャッター６３０が開いた状態となる。
【００８１】
また、ＣＲＧシャッター６３０が直進移動する際に、該ＣＲＧシャッター６３０の接触部６３４によって、挿入部シャッター２３０もガイド部２８０に接触しながら直進移動する。  
すなわち、ＣＲＧシャッター６３０が閉位置に位置するときには、図１６Ａに示すように、接触部６３４が挿入部シャッター２３０に接触していないが、ＣＲＧシャッター６３０が閉位置から移動した直後に、図１６Ｂに示すように、接触部６３４が挿入部シャッター２３０に接触する。そして、ＣＲＧシャッター６３０がさらに移動する際に、接触部６３４が、挿入部シャッター２３０（具体的には、突出部２３１の、挿入部シャッター２３０の短手方向一端）に接触して押す（具体的には、押し下げる）ことにより、図１６Ｃに示すように、挿入部シャッター２３０が、閉位置から開位置へ直進移動（開移動）することとなる。
【００８２】
さらに、挿入部シャッター２３０は、接触部６３４に押されて直進移動するから、ＣＲＧシャッター６３０が閉位置に至るタイミングと、挿入部シャッター２３０が閉位置に至るタイミングは、同じとなる。なお、挿入部シャッター２３０が閉位置から開位置へ直進移動する際には、図１６Ｂと図１６Ｃに示すように、ＣＲＧシャッター６３０の係合片６３６は、リブ６１６の平坦部６１６ｂにより押されて弾性変形するが、挿入部シャッター２３０の係合穴２３４に係合しない（接触しない）。
【００８３】
また、ＣＲＧシャッター６３０が閉位置から開位置へ移動することにより、図４に示すように、ＣＲＧシール開口６４２が、対向するＣＲＧシャッター開口６３１を介して露出することとなる。同様に、挿入部シャッター２３０が閉位置から開位置へ移動することにより、挿入部シール開口２７２も、対向する挿入部シャッター開口２３２を介して露出することとなる。さらに、ＣＲＧシャッター６３０と挿入部シャッター２３０が、それぞれ閉位置に位置する際に、図１４Ｂに示すように、ＣＲＧシャッター２３０に押圧されたＣＲＧシール６４０と、挿入部シャッター２３０に押圧された挿入部シール２７０が、接触する。
【００８４】
また、ユーザ等によって把手部６２１が図３に示す位置から図４に示す位置まで押される（これに伴い、外カバー６２０が回転移動する）と、ＣＲＧ本体６１０がカートリッジ挿入部２２に対しロックされる。  
すなわち、把手部６２１が図３に示す位置に位置する際（別言すれば、トナーカートリッジ６０がカートリッジ挿入部２２に挿入された際）には、図１３Ａと図１３Ｂに示すように、外カバー６２０のフック６２６が、ロック用穴２１０を通り抜け可能な状態となっている。そして、把手部６２１が押されることにより、外カバー６２０の移動に伴って移動するフック６２６が、図１３Ａに示す矢印の方向に移動し、把手部６２１が図４に示す位置（トナーカートリッジ６０がカートリッジ挿入部２２に装着された状態となる位置）に至ると、フック６２６が、図１３Ｃに示す位置に至る。かかる際には、図１３Ｄに示すように、壁２１０ａが障害物となるから、該フック６２６が、ロック用穴２１０を通り抜け不可能な状態となっている。
【００８５】
上述したように、把手部６２１が操作されて外カバー６２０等が動作することにより、トナーカートリッジ６０がプロセスユニット２０に装着されることとなる。そして、トナーカートリッジ６０の装着後に、ＣＲＧ本体６１０内のアジテータ６５０が回転することにより、ＣＲＧ本体６１０内のトナーが、ＣＲＧ開口６１２と挿入部開口２６０を介して、トナー収容部５１に補給されることとなる。
【００８６】
＜＜トナーカートリッジ取り外しの際のトナーカートリッジ及び周辺の動作例＞＞
次に、トナーカートリッジ６０をプロセスユニット２０から取り外すときのトナーカートリッジ６０及び周辺部材の動作例について説明する。
【００８７】
［１．初期状態について］
ここでは、トナーカートリッジ６０及び周辺部材の初期状態、すなわち、トナーカートリッジ６０がプロセスユニット２０に装着されているときの、トナーカートリッジ６０及び周辺部材の状態、について説明する。
【００８８】
トナーカートリッジ６０がプロセスユニット２０に装着されているときには、図１４Ｂに示すように、ＣＲＧシャッター６３０と挿入部シャッター２３０が、それぞれ開位置にて静止して対向している。そして、トナーカートリッジ６０のトナーが、互いに対向するＣＲＧシール開口６４２と挿入部シール開口２７２を通過して、トナー収容部５１に移動可能な状態となっている。また、図１５Ｃに示すように、外カバー６２０のピニオン部６２２を構成する複数の凸６２３の一部が、ＣＲＧシャッター６３０のラック部６３２を構成する複数の穴６３３の一部と、係合している。
【００８９】
また、図１７Ａに示すように、ＣＲＧシャッター６３０の接触部６３４が、挿入部シャッター２３０に接触している。また、ＣＲＧシャッター６３０の係合片６３６は、リブ６１６の平坦部６１６ｂに接触して、該平坦部６１６ｂに押されているが、挿入部シャッター２３０の係合穴２３４に係合していない（接触していない）。
【００９０】
ＣＲＧシール６４０は、ＣＲＧシャッター５３０と壁部６１１の間で圧縮されており、そのＣＲＧシール開口６４２が、露出している。同様に、挿入部シール２７０は、挿入部シャッター２３０と仕切り壁２２ａの間で圧縮されており、挿入部シール開口２７２が、露出している。また、図１４Ｂに示すように、ＣＲＧシャッター６３０に押圧されたＣＲＧシール６４０と、挿入部シャッター２３０に押圧された挿入部シール２７０が、接触している。
【００９１】
また、外カバー６２０のフック６２６は、図１３Ｃに示す位置に位置しており、図１３Ｄに示すように、壁２１０ａが障害物となるから、該フック６２６は、ロック用穴２１０を通り抜け不可能な状態となっている。すなわち、ＣＲＧ本体６１０は、カートリッジ挿入部２２に対しロックされている。
【００９２】
また、図１２Ｃに示すように、ロック解除凸部２２０がレバー６２８を変形させているから、突起６１７は、レバー６２８を係止しておらず、外カバー６２０が回転移動可能な状態となっている。また、ＣＲＧコネクタ６１８は、プリンタ本体に設けられたコネクタと接触している。
【００９３】
［２．シャッターが閉動作する際のトナーＣＲＧ等の動作について］
ここでは、開位置に位置するＣＲＧシャッター６３０が、閉位置に至るまでの、すなわち、図４に示される状態から図３に示される状態になるまでの、トナーカートリッジ６０等の動作について、説明する。
【００９４】
突起６１７のレバー６２８に対する係止が解除されているので、ユーザ等が、把手部６２１を所定の方向（図４に示す矢印の方向）に押す（操作する）ことによって、外カバー６２０が回転移動を開始する。なお、外カバー６２０の回転移動の際に、図１２Ｂ〜図１２Ｄに示すように、ロック解除凸部２２０がレバー６２８に接触する状態が維持されるから、外カバー６２０の回転移動中に突起６１７がレバー６２８を係止しない。
【００９５】
そして、外カバー６２０の回転移動に伴って、ＣＲＧシャッター６３０が直進移動する。すなわち、ユーザ等が把手部６２１を押す力が、外カバー６２０に、該外カバー６２０を回転移動させる回転力として伝達される。そして、ラック部６３２とピニオン部６２２が係合した状態で外カバー６２０が回転移動することにより、前記回転力が、ピニオン部６２２とラック部６３２を介して、ＣＲＧシャッター６３０に、該ＣＲＧシャッター６３０を直進移動させる直進力として伝達される。そして、ＣＲＧシャッター６３０は、前記直進力によって、ガイド部６１４に接触しながら直進移動することとなる。
【００９６】
そして、ユーザ等によって把手部６２１が図４に示す位置から図３に示す位置まで押される（これに伴い、外カバー６２０が回転移動する）ことにより、図１５Ａ〜図１５Ｃに示すように、ＣＲＧシャッター６３０が、開位置から閉位置まで直進移動（閉移動）することとなる。なお、把手部６２１が図３に示す位置まで押されると、ＣＲＧシャッター６３０が閉じた状態となる。
【００９７】
また、ＣＲＧシャッター６３０が直進移動する際に、該ＣＲＧシャッター６３０の係合片６３６によって、挿入部シャッター２３０もガイド部２８０に接触しながら直進移動する。  
すなわち、ＣＲＧシャッター６３０が開位置に位置するときには、図１７Ａに示すように、係合片６３６は、リブ６１６の平坦部６１６ｂに押されて弾性変形している（挿入部シャッター２３０側へ突出している）が、係合穴２３４に係合していない（なお、係合片６３６は、係合穴２３４に入り込んでいる）。そして、ＣＲＧシャッター６３０が開位置から移動した直後に、図１７Ｂに示すように、弾性変形して挿入部シャッター２３０側へ突出している係合片６３６が、係合穴２３４に係合する（接触する）。そして、ＣＲＧシャッター６３０がさらに移動する際に、係合片６３６がＣＲＧシャッター６３０を押す（具体的には、押し上げる）ことにより、挿入部シャッター２３０を、開位置から図１７Ｃに示す閉位置へ移動させる。このように、係合片６３６は、挿入部シャッター２３０に係合して、該挿入部シャッター２３０を開位置から閉位置へ移動（閉移動）するように操作する『操作部』としての機能を有する。
【００９８】
ＣＲＧシャッター６３０は、挿入部シャッター２３０が閉位置に至った際に、閉位置に至っておらず、挿入部シャッター２３０が閉位置に至った後も、さらに直進移動が可能である。そして、ＣＲＧシャッター６３０は、さらに直進移動することにより、図１７Ｄに示す閉位置へ至る。かかる移動の際には、係合片６３６は、平坦部６１６ｂに接触せず（湾曲部６１６ａに対向する）、該平坦部６１６ｂに押されないから、係合穴２３４に入り込まない（このため、係合穴２３４に係合しない）。このように、係合片６３６の、挿入部シャッター２３０への係合は、ＣＲＧシャッター６３０の開位置から閉位置への移動（閉移動）の途中で、解除される。
【００９９】
なお、ＣＲＧシャッター６３０が開位置から閉位置へ直進移動する際には、図１７Ｂと図１７Ｃに示すように、該ＣＲＧシャッター６３０の接触部６３４は、挿入部シャッター２３０に接触しない。
【０１００】
また、ＣＲＧシャッター６３０が開位置から閉位置へ移動することにより、ＣＲＧシール開口６４２（ＣＲＧ開口６１２）が、該ＣＲＧシャッター６３０によって塞がれることとなる（図１４Ａ）。同様に、挿入部シャッター２３０が開位置から閉位置へ移動することにより、挿入部シール開口２７２（挿入部開口２６０）も、該挿入部シャッター２３０によって塞がれることとなる。
【０１０１】
また、ユーザ等によって把手部６２１が図４に示す位置から図３に示す位置まで押される（これに伴い、外カバー６２０が回転移動する）と、ＣＲＧ本体６１０のカートリッジ挿入部２２に対するロックが、解除される。  
すなわち、把手部６２１が図４に示す位置に位置する際には、図１３Ｃと図１３Ｄに示すように、外カバー６２０のフック６２６が、ロック用穴２１０を通り抜け不可能な状態となっている。そして、把手部６２１が押されることにより、外カバー６２０の移動に伴って移動するフック６２６が、図１３Ｃに示す矢印の方向に移動し、把手部６２１が図３に示す位置に至ると、フック６２６が、図１３Ａに示す位置に至る。かかる際には、図１３Ｂに示すように、該フック６２６が、ロック用穴２１０を通り抜け可能な状態となっている。
【０１０２】
［３．トナーＣＲＧを取り外す際のトナーＣＲＧ等の動作について］
ここでは、ＣＲＧシャッター６３０が閉位置にて静止しているトナーカートリッジ６０を、カートリッジ挿入部２２から取り外すときの、トナーカートリッジ６０等の動作について、説明する。
【０１０３】
ユーザ等が、把手部６２１を持って、カートリッジ挿入部２２に挿入されたトナーカートリッジ６０を上方へ持ち上げると、該トナーカートリッジ６０がプロセスユニット２０から取り外される。すなわち、トナーカートリッジ６０を上方へ持ち上げる際に、フック６２６が図１３Ａと図１３Ｂに示す位置に位置するから、フック６２６がロック用穴２１０を通り抜けられ、トナーカートリッジ６０はプロセスユニット２０から取り外されることとなる。
【０１０４】
また、トナーカートリッジ６０が取り外される際に、外カバー６２０がＣＲＧ本体６１０に対して回転移動できないようにロックされる。すなわち、トナーカートリッジ６０がカートリッジ挿入部２２に挿入されているときには、図１２Ｂに示すように、ロック解除凸部２２０がレバー６２８に接触して変形させることにより、突起６１７が該レバー６２８を係止しないが、トナーカートリッジ６０が取り外される際には、図１２Ａに示すように、該ロック解除凸部２２０がレバー６２８に接触しないから、突起６１７がレバー６２８を係止することとなる。このため、トナーカートリッジ６０が取り外される際には、該突起６１７とレバー６２８によって、外カバー６２０がＣＲＧ本体６１０に対して回転移動できないようにロックされることとなる。
【０１０５】
＝＝＝本実施の形態に係るプリンタ１０の有効性について＝＝＝
上述したように、本実施の形態に係る『画像形成装置』（プリンタ１０）の『第二シャッター』（ＣＲＧシャッター６３０）は、『第一シャッター』（挿入部シャッター２３０）に係合して該挿入部シャッター２３０を操作する『操作部』（係合片６３６）であって、図１７Ａ〜図１７Ｄに示すように、『第二開口』（ＣＲＧシール開口６４２）を露出させる『第二開位置』（ＣＲＧシャッター６３０の開位置）からＣＲＧシール開口６４２を塞ぐ『第二閉位置』（ＣＲＧシャッター６３０の閉位置）へ移動する閉移動の途中で、挿入部シャッター２３０への係合が解除される係合片６３６、を有している。これにより、挿入部シャッター２３０とＣＲＧシャッター６３０を、簡易な構成にて適切に開閉することが可能となる。以下において、詳細に説明する。
【０１０６】
「発明が解決しようとする課題」の項で説明したように、挿入部シャッター２３０とＣＲＧシャッター６３０を開閉させる構成として、二通りの構成、すなわち、挿入部シャッター２３０とＣＲＧシャッター６３０が、それぞれ独立に移動して開閉する構成と、二つのシャッターのうちの一方のシャッターが、他方のシャッターの移動に伴って移動して開閉する構成と、が提案されている。
【０１０７】
しかし、上記の二つの構成のうちの前者の構成では、部品点数の増加を招きやすい。一方で、後者の構成では、挿入部シャッター２３０とＣＲＧシャッター６３０の移動が制約されやすい。例えば、二つのシャッターのうちの一方のシャッターが、他方のシャッターを押して開位置から閉位置へ移動する場合には、前記他方のシャッターは、前記一方のシャッターに押されて開位置から閉位置へ移動するため、二つのシャッターが、同じタイミングで停止してしまい、挿入部シャッター２３０とＣＲＧシャッター６３０の移動が制約されることとなる。
【０１０８】
これに対して、本実施形態においては、図１７Ａ〜図１７Ｄに示すように、ＣＲＧシャッター６３０の係合片６３６が、前記第二開位置から前記第二閉位置へ移動する閉移動の途中で、それまで係合していた挿入部シャッター２３０（具体的には、係合穴２３４）への係合が解除される。
【０１０９】
かかる場合には、係合片６３６の、挿入部シャッター２３０への係合が、ＣＲＧシャッター６３０の閉移動の途中で解除される（係合が解除される直前に、挿入部シャッター２３０は、閉位置に至る）から、挿入部シャッター２３０が閉位置に至った後に、ＣＲＧシャッター６３０がさらに移動できる（すなわち、挿入部シャッター２３０とＣＲＧシャッター６３０の停止タイミングが異なる）。このため、挿入部シャッター２３０とＣＲＧシャッター６３０を、部品点数を増やすこと無く簡易な構成にて、それぞれ適した閉位置まで移動させて開くことが可能となる。
【０１１０】
また、係合片６３６が、トナーカートリッジ６０のＣＲＧシャッター６３０に設けられている本実施形態の場合に、挿入部シャッター２３０が閉位置に至るタイミングとＣＲＧシャッター６３０が閉位置に至るタイミングが異なることは、特に実益がある。すなわち、図１７Ｃに示すように挿入部シャッター２３０が閉位置に位置する際には、係合片６３６が、係合穴２３４に入り込んで該係合穴２３４に係合しているが、図１７Ｄに示すようにＣＲＧシャッター６３０が閉位置に位置する際には、係合片６３６が、係合穴２３４に入り込んでいない。このため、ＣＲＧシャッター６３０が閉位置に位置した状態でトナーカートリッジ６０がカートリッジ挿入部２２から取り外される際に、該係合片６３６が係合穴２３４に引っ掛からないから、トナーカートリッジ６０の取り外しを適切に行うことが可能となる。
【０１１１】
なお、上記実施形態においては、操作部が、ＣＲＧシャッター６３０の前記閉移動の途中で、それまで係合していた挿入部シャッター２３０への係合が解除されることとしたが、これに限定されるものではない。例えば、操作部が、ＣＲＧシャッター６３０の第二閉位置から第二開位置へ移動する開移動の途中で、それまで係合していた挿入部シャッター２３０への係合が解除されることとしてもよい。かかる場合には、挿入部シャッター２３０とＣＲＧシャッター６３０を、簡易な構成にて、それぞれ適した開位置まで移動させて開くことが可能となる。
【０１１２】
また、操作部は、ＣＲＧシャッター６３０の前記開移動と前記閉移動において、各々の移動の途中で、挿入部シャッター２３０への係合が解除されることとしてもよい。かかる場合には、挿入部シャッター２３０とＣＲＧシャッター６３０を、簡易な構成にて、それぞれ適した開位置及び閉位置まで移動させて開閉することが可能となる。このように、操作部が、ＣＲＧシャッター６３０の前記開移動と前記閉移動とのうちの少なくともいずれか一方の移動において、その移動の途中で、挿入部シャッター２３０への係合が解除される場合には、挿入部シャッター２３０とＣＲＧシャッター６３０を、簡易な構成にて適切に開閉することが可能となる。
【０１１３】
＝＝＝その他の実施形態＝＝＝
以上、上記実施の形態に基づき本発明に係る画像形成装置等を説明したが、上記した発明の実施の形態は、本発明の理解を容易にするためのものであり、本発明を限定するものではない。本発明は、その趣旨を逸脱することなく、変更、改良され得ると共に、本発明にはその等価物が含まれることはもちろんである。
【０１１４】
また、上記実施の形態において、画像形成装置として、一つの感光体３１と一つの現像部５０を有するモノクロプリンタを例にとって説明したが、これに限定されるものではない。例えば、色毎に、独立の感光体３１と現像部５０を有する（いわゆるタンデム方式）カラープリンタにも、本発明を適用することができる。かかる場合には、トナーカートリッジ６０も色毎に存在し、各トナーカートリッジ６０は、それぞれ所定のカートリッジ挿入部にて着脱され、該トナーカートリッジ６０内のトナーが、各々対応する現像部に補給されることとなる。
【０１１５】
また、上記実施の形態において、トナーカートリッジ６０は、プリンタ本体に取り付けられたプロセスユニット２０に対して着脱されることとしたが、これに限定されるものではない。例えば、プロセスユニット２０がプリンタ本体に対して着脱可能なカートリッジであり、トナーカートリッジ６０が、プリンタ本体から取り外されたプロセスユニット２０に対して着脱されることとしてもよい。かかる場合には、トナーカートリッジ６０が装着された状態のプロセスユニット２０が、プリンタ本体に対して着脱されることとなる。
【０１１６】
さらに、上記実施の形態において、図３に示すように、プリンタ１０は、潜像を担持するための『像担持体』（感光体３１）と、『現像剤』（トナー）を収容するための『収容部』（トナー収容部５１）と、該トナーにて感光体３１に担持された潜像を『現像剤像』（トナー像）として可視化するための『現像剤担持体』（現像ローラ５２）と、を有する『像形成ユニット』（プロセスユニット２０）と、該プロセスユニット２０に対して着脱可能であり、トナー収容部５１にトナーを供給するための『現像剤カートリッジ』（トナーカートリッジ６０）と、を備えていることとした。そして、第一開口（挿入部シール開口２７２）と第一シャッター（挿入部シャッター２３０）は、それぞれプロセスユニット２０に設けられており、第二開口（ＣＲＧシール開口６４２）と第二シャッター（ＣＲＧシャッター６３０）は、それぞれトナーカートリッジ６０に設けられていることとした。しかし、上記に限定されるものではない。例えば、第一開口、第一シャッター、第二開口、第二シャッターは、それぞれ、トナーカートリッジ６０とプロセスユニット２０以外のユニットに設けられていることとしてもよい。  
ただし、第一開口と第一シャッターがプロセスユニット２０に、第二開口と第二シャッターがトナーカートリッジ６０に設けられている場合には、例えば、トナーカートリッジ６０に収容されるトナーの量が少ないと、該トナーカートリッジ６０の着脱が頻繁に行われ、二つのシャッターの開閉も頻繁に行われることとなる。かかる場合に、本実施形態に係る係合片６３６を設けた場合には、二つのシャッターを、簡易な構成にて適切に開閉することが可能となる効果が、より有効に奏される。従って、上記実施の形態の方がより望ましい。
【０１１７】
さらに、上記実施の形態において、図１７Ａ〜図１７Ｄに示すように、係合片６３６は、弾性変形することにより、挿入部シャッター２３０に係合し、かつ、挿入部シャッター２３０への係合が解除されることとしたが、これに限定されるものではない。例えば、操作部は、弾性変形せずに移動することにより、挿入部シャッター２３０に係合し、かつ、挿入部シャッター２３０への係合が解除されることとしてもよい。  
ただし、係合片６３６が、弾性変形することにより、挿入部シャッター２３０に係合し、かつ、挿入部シャッター２３０への係合が解除される場合には、簡易な構成にて、係合片６３６の挿入部シャッター２３０への係合と、該係合の解除を実現できる。従って、上記実施の形態の方がより望ましい。
【０１１８】
さらに、上記実施の形態において、挿入部シャッター２３０の長手方向は、ＣＲＧシャッター６３０の長手方向に沿っており、係合片６３６は、図５に示すように、ＣＲＧシャッター６３０の長手方向両端側に位置する弾性を有する金属片であることとした。また、挿入部シャッター２３０は、図１１に示すように、その長手方向両端側に係合片６３６が係合可能な『係合穴部』（係合穴２３４）、を有し、トナーカートリッジ６０は、図７に示すように、ＣＲＧシャッター６３０が移動する際に、係合片６３６を挿入部シャッター２３０側へ突出させるように押す『突起』（リブ６１６）、を有することとした。そして、図１７Ａ〜図１７Ｄに示すように、係合片６３６は、リブ６１６（具体的には、平坦部６１６ｂ）によって押される際には、挿入部シャッター２３０側へ突出して、係合穴２３４に係合可能であり、リブ６１６によって押されない際には、突出せず、係合穴２３４に係合不可能であることとした。しかし、上記に限定されるものではなく、係合片６３６を弾性変形させて挿入部シャッター２３０に係合することを、他の構成で実現してもよい。  
ただし、係合片６３６が弾性を有する金属片であり、挿入部シャッター２３０に係合片６３６が係合可能な係合穴２３４が設けられ、該係合片６３６が、リブ６１６（具体的には、平坦部６１６ｂ）に押されることにより、係合穴２３４に係合する場合には、簡易な構成にて、係合片６３６を挿入部シャッター２３０に係合させることが可能となる。従って、上記実施の形態の方がより望ましい。
【０１１９】
さらに、上記実施の形態において、ＣＲＧシャッター６３０は、図１６Ａ〜図１６Ｃに示すように、閉位置から開位置へ移動する際に、挿入部シャッター２３０に接触可能な接触部６３４、を有することとした。そして、ＣＲＧシャッター６３０が移動する際に、接触部６３４が、挿入部シャッター２３０に接触して押すことにより、該挿入部シャッター２３０が、閉位置から開位置へ移動することとした。しかし、上記に限定されるものではない。例えば、接触部は、挿入部シャッター２３０を、開位置から閉位置へ移動させることとしてもよい。
【０１２０】
さらに、上記実施の形態において、図１７Ａに示すように、ＣＲＧシャッター６３０が開位置に位置する際には、係合片６３６は挿入部シャッター２３０に係合していないこととした。そして、図１７Ｂと図１７Ｃに示すように、係合片６３６は、ＣＲＧシャッター６３０の開位置から閉位置への移動において、途中の区間のみにて挿入部シャッター２３０に係合して、該挿入部シャッター２３０を操作し、該挿入部シャッター２３０は、係合片６３６により操作されて、開位置から閉位置へ移動することとした。しかし、上記に限定されるものではない。  
例えば、ＣＲＧシャッター６３０が開位置に位置する際に、係合片６３６が挿入部シャッター２３０に係合し、該係合片６３６は、ＣＲＧシャッター６３０の閉移動の途中まで、係合状態を維持して、挿入部シャッター２３０を開位置から閉位置へ移動させることとしてもよい。
【０１２１】
さらに、上記実施の形態において、接触部６３４は、図５に示すように、ＣＲＧシャッター６３０の短手方向一端にて、挿入部シャッター２３０側へ延出する延出部、であり、挿入部シャッター２３０は、図１１に示すように、その長手方向中央部に、ＣＲＧシャッター６３０側に突出した突出部２３１、を有することとした。そして、ＣＲＧシャッター６３０が移動する際に、図１６Ａ〜図１６Ｃに示すように、前記延出部（接触部６３４）が、突出部２３１の、挿入部シャッター２３０の短手方向一端に接触して押すことにより、該挿入部シャッター２３０が、閉位置から開位置へ移動することとした。しかし、上記に限定されるものではない。例えば、挿入部シャッター２３０は、突出部２３１を有しない平板であることとしてもよい。  
ただし、挿入部シャッター２３０が突出部２３１を有し、ＣＲＧシャッター６３０が移動する際に、前記延出部（接触部６３４）が、突出部２３１に接触して押すことにより、挿入部シャッター２３０を移動させる場合には、接触部６３４が挿入部シャッター２３０に確実に接触するから、挿入部シャッター２３０が閉位置から開位置へ確実に移動できる。従って、上記実施の形態の方がより望ましい。
【０１２２】
さらに、上記実施の形態において、ＣＲＧシャッター６３０が閉位置から開位置へ移動（開移動）する際には、図１６Ａ〜図１６Ｃに示すように、接触部６３４が挿入部シャッター２３０に接触するのに対し、係合片６３６は挿入部シャッター２３０に係合せず、ＣＲＧシャッター６３０が開位置から閉位置へ移動（閉移動）する際には、図１７Ａ〜図１７Ｄに示すように、係合片６３６は挿入部シャッター２３０に係合するのに対し、接触部６３４は挿入部シャッター２３０に接触しないこととしたが、これに限定されるものではない。例えば、ＣＲＧシャッター６３０の前記開移動と前記閉移動の際に、接触部６３４が挿入部シャッター２３０に接触し、かつ、係合片６３６が挿入部シャッター２３０に係合することとしてもよい。  
接触部６３４によって挿入部シャッター２３０が閉位置から開位置へ移動（開移動）する際に、係合片６３６が、該開移動の邪魔をするように挿入部シャッター２３０に係合すると、接触部６３４の挿入部シャッター２３０への接触が不十分となり、該接触部６３４の挿入部シャッター２３０を開移動させる機能が損なわれる恐れがある。同様に、係合片６３６によって挿入部シャッター２３０が開位置から閉位置へ移動（閉移動）する際に、接触部６３４が、該閉移動を邪魔するように挿入部シャッター２３０に接触すると、係合片６３６の挿入部シャッター２３０への係合が不十分となり、該係合片６３６の挿入部シャッター２３０を閉移動させる機能が損なわれる恐れがある。これに対して、上記実施の形態のように、前記開移動の際には係合片６３６が挿入部シャッター２３０に係合せず、かつ、前記閉移動の際には接触部６３４が挿入部シャッター２３０に接触しない場合には、接触部６３４と係合片６３６が、それぞれ適切に機能を果たすことが可能となる。従って、上記実施の形態の方がより望ましい。
【図面の簡単な説明】
【０１２３】
【図１】プリンタ１０を構成する主要構成要素を示した図である。
【図２】プリンタ１０の制御ユニット１００の構成を示したブロック図である。
【図３】トナーカートリッジ６０がカートリッジ挿入部２２に挿入された際の状態を示した図である。
【図４】トナーカートリッジ６０がプロセスユニット２０に装着された際の状態を示した図である。
【図５】ＣＲＧシャッター６３０が閉位置に位置する際の、トナーカートリッジ６０の正面図である。
【図６】図５に示すトナーカートリッジ６０の背面図である。
【図７】図５に示すトナーカートリッジ６０からＣＲＧシャッター６３０を取り除いた状態を示した図である。
【図８】ＣＲＧシャッター６３０が開位置に位置する際の、トナーカートリッジ６０の正面図である。
【図９】図８に示すトナーカートリッジ６０の背面図である。
【図１０】トナーカートリッジ６０がカートリッジ挿入部２２に挿入されていない際の、プロセスユニット２０の上面図である。
【図１１】挿入部シャッター２３０及びその周辺を示した図である。
【図１２】図１２Ａは、トナーカートリッジ６０がカートリッジ挿入部２２に挿入されていないときに、突起６１７がレバー６２８を係止している状態を示した図である。図１２Ｂは、トナーカートリッジ６０がカートリッジ挿入部２２に挿入された際に、突起６１７のレバー６２８に対する係止が解除されている状態を示した図である。図１２Ｃは、トナーカートリッジ６０がプロセスユニット２０に装着された際に、突起６１７のレバー６２８に対する係止が解除されている状態を示した図である。図１２Ｄは、図１２Ｂ中のＡ方向から、突起６１７等を示し図である。
【図１３】図１３Ａは、トナーカートリッジ６０がカートリッジ挿入部２２に挿入された際の、フック６２６とロック用穴２１０の位置関係を示した図である。図１３Ｂは、図１３ＡのＸ−Ｘ断面図である。図１３Ｃは、トナーカートリッジ６０がプロセスユニット２０に装着された際の、フック６２６とロック用穴２１０の位置関係を示した図である。図１３Ｄは、図１３ＣのＹ−Ｙ断面図である。
【図１４】図１４Ａは、トナーカートリッジ６０がカートリッジ挿入部２２に挿入された際の、ＣＲＧシャッター６３０と挿入部シャッター２３０の周辺部を示した図である。図１４Ｂは、トナーカートリッジ６０がプロセスユニット２０に装着された際の、ＣＲＧシャッター６３０と挿入部シャッター２３０の周辺部を示した図である。
【図１５】図１５Ａは、ＣＲＧシャッター６３０が閉位置に位置する際の、ラック部６３２とピニオン部６２２を示した図である。図１５Ｂは、移動中のＣＲＧシャッター６３０の接触部６３４が、挿入部シャッター２３０に接触した際の、ラック部６３２とピニオン部６２２を示した図である。図１５Ｃは、ＣＲＧシャッター６３０が開位置に位置する際の、ラック部６３２とピニオン部６２２を示した図である。
【図１６】図１６Ａは、ＣＲＧシャッター６３０が閉位置に位置する際の、係合片６３６とリブ６１６の位置関係を示した図である。図１６Ｂは、移動中のＣＲＧシャッター６３０の接触部６３４が、挿入部シャッター２３０に接触した際の、係合片６３６とリブ６１６の位置関係を示した図である。図１６Ｃは、ＣＲＧシャッター６３０が開位置に位置する際の、係合片６３６とリブ６１６の位置関係を示した図である。
【図１７】図１７Ａは、ＣＲＧシャッター６３０が開位置に位置する際の、係合片６３６とリブ６１６の位置関係を示した図である。図１７Ｂは、移動中のＣＲＧシャッター６３０の係合片６３６が、挿入部シャッター２３０に係合した際の、係合片６３６とリブ６１６の位置関係を示した図である。図１７Ｃは、挿入部シャッター２３０が、係合片６３６に操作されて、閉位置に至った際の、係合片６３６とリブ６１６の位置関係を示した図である。図１７Ｄは、ＣＲＧシャッター６３０が閉位置に位置する際の、係合片６３６とリブ６１６の位置関係を示した図である。
【符号の説明】
【０１２４】
１０  プリンタ、２０  プロセスユニット、２１  ユニットフレーム、
２２  カートリッジ挿入部、２２ａ  仕切り壁、３１  感光体、３２  帯電器、
３９  ローラ、４０  露光ユニット、５０  現像部、５１  トナー収容部、
５２  現像ローラ、５３  供給ローラ、５４  規制ブレード、５６  アジテータ、
６０  トナーカートリッジ、７０  転写ユニット、
８０  定着ユニット、８０ａ  定着ローラ、８０ｂ  加圧ローラ、
９２  給紙カセット、９４  給紙ローラ、９５  搬送ローラ、
９６  排紙ローラ、９８  排紙トレイ、１００  制御ユニット、
１０１  メインコントローラ、１０２  ユニットコントローラ、
１１２  インターフェイス、１１３  画像メモリ、
２１０  ロック用穴、２２０  ロック解除凸部、２３０  挿入部シャッター、
２３１  突出部、２３２  挿入部シャッター開口、２３４  係合穴、２４０  溝、
２５０  貫通穴、２６０  挿入部開口、２７０  挿入部シール、
２７２  挿入部シール開口、２８０  ガイド部、
６１０  ＣＲＧ本体、６１１  壁部、６１２  ＣＲＧ開口、６１４  ガイド部、
６１６  リブ、６１６ａ  湾曲部、６１６ｂ  平坦部、６１７  突起、
６１８  ＣＲＧコネクタ、６２０  外カバー、６２１  把手部、
６２２  ピニオン部、６２３  凸、６２６  フック、６２７  逃げ穴、
６２８  レバー、６３０  ＣＲＧシャッター、６３１  ＣＲＧシャッター開口、
６３２  ラック部、６３３  穴、６３４  接触部、６３６  係合片、
６４０  ＣＲＧシール、６４２  ＣＲＧシール開口、６５０  アジテータ
【図１】
2008015107.tif 000003
【図２】
2008015107.tif 000004
【図３】
2008015107.tif 000005
【図４】
2008015107.tif 000006
【図５】
2008015107.tif 000007
【図６】
2008015107.tif 000008
【図７】
2008015107.tif 000009
【図８】
2008015107.tif 000010
【図９】
2008015107.tif 000011
【図１０】
2008015107.tif 000012
【図１１】
2008015107.tif 000013
【図１２】
2008015107.tif 000014
【図１３】
2008015107.tif 000015
【図１４】
2008015107.tif 000016
【図１５】
2008015107.tif 000017
【図１６】
2008015107.tif 000018
【図１７】
2008015107.tif 000019